(57)【要約】【課題】複数接点を持つガスケットを簡単に狭い領域で取り付けできるようにする。【解決手段】ガスケット（２０）のクッション材（２１）の外周をそれぞれ間隔を空けて複数の導通フィルム（２２）で覆う。これら複数の導通フィルム（２２）間に両面テープ（２３）を設ける。【選択図】図１
2014040864.tif 000002
【特許請求の範囲】
【請求項１】
複数接点を持つガスケットにおいて、
クッション材と、
上記クッション材の外周をそれぞれ間隔を空けて覆う複数の導通フィルムと、
上記複数の導通フィルム間に設けられた接着部材とを備えている
ことを特徴とする複数接点を持つガスケット。
【請求項２】
請求項１に記載の複数接点を持つガスケットにおいて、
上記接着部材が設けられた部分の厚さは、上記導通フィルムで覆われた部分の厚さよりも薄くなっている
ことを特徴とする複数接点を持つガスケット。
【請求項３】
請求項１又は２に記載の複数接点を持つガスケットを備えた携帯端末であって、
上記複数の導通フィルムに対応する複数の接点及び上記接着部材が接着される絶縁緩衝帯とが形成された基板を有する
ことを特徴とする携帯端末。
【発明の詳細な説明】
【技術分野】
【０００１】
本発明は、複数接点を持つガスケット及びそれを備えた携帯端末に関するものである。
【背景技術】
【０００２】
従来より、例えば、特許文献１のように、弾性を有する材料により、ケース体の一面及び電子部品接続部材の対向面にそれぞれ対向する一対の面を有する形状に形成された弾性部材と、導電性及び可撓性を有する材料により形成され、弾性部材の一対の面にわたって設けられた導電可撓部と、この導電可撓部におけるケース体の一面に対向する部分又は電子部品接続部材の一面に対向する部分の一縁から外方に向けて一体的に突出する状態で設けられ、取付手段によりケース体又は電子部品接続部材の前記対向面に取り付けられる取付突出部とを具備したガスケットが知られている。
【先行技術文献】
【特許文献】
【０００３】
【特許文献１】特開２００７−１５７３４２号公報
【発明の概要】
【発明が解決しようとする課題】
【０００４】
しかしながら、上記従来のガスケットでは、基板上に複数の接点がある場合、複数個のガスケットを設けなければならず、取付作業が面倒である。また、それぞれのガスケットの取付突出部の取付場所を基板側に設けなければならず、省スペースが図れない。
【０００５】
本発明は、かかる点に鑑みてなされたものであり、その目的とするところは、複数接点を持つガスケットを簡単に狭い領域で取り付けできるようにすることにある。
【課題を解決するための手段】
【０００６】
上記の目的を達成するために、この発明では、１つのクッション材を複数の導通フィルムで覆うようにした。
【０００７】
具体的には、第１の発明では、複数接点を持つガスケットを前提とし、
上記ガスケットは、
クッション材と、
上記クッション材の外周をそれぞれ間隔を空けて覆う複数の導通フィルムと、
上記複数の導通フィルム間に設けられた接着部材とを備えている。
【０００８】
上記の構成によると、接着部材を導通フィルムで覆われていない部分に設けているので、全体の厚さが抑えられる。また、１つのガスケットで複数の接点を導通できるので、ガスケットの取付が容易であり、接着部材の数も少なくなる。
【０００９】
第２の発明では、第１の発明において、
上記接着部材が設けられた部分の厚さは、上記導通フィルムで覆われた部分の厚さよりも薄くなっている。
【００１０】
上記の構成によると、両面テープの方が導通フィルムよりも厚さ方向で低くなっているので、両面テープを絶縁緩衝帯に貼り付けるときにクッション材を変形させながら押さえ付けると、元に戻ろうとする力が掛かったままガスケットが基板に粘着される。このため、導通フィルムと基板の複数の接点とが確実に導通する。
【００１１】
第３の発明の携帯端末は、第１又は第２の発明の複数接点を持つガスケットと、
上記複数の導通フィルムに対応する複数の接点及び上記接着部材が接着される絶縁緩衝帯が形成された基板とを有する。
【００１２】
上記の構成によると、ガスケットを貼り付けるために、基板に占める領域が、複数の接点と、その間の絶縁緩衝帯とに制限されるので、基板の大きさを小さくすることができる。
【発明の効果】
【００１３】
以上説明したように、本発明によれば、クッション材の外周をそれぞれ間隔空けて複数の導通フィルムで覆い、これら複数の導通フィルム間に接着部材を設けたことにより、複数接点を持つガスケットを簡単に狭い領域で取り付けできる。
【図面の簡単な説明】
【００１４】
【図１】ガスケット及びフレキシブル基板を示す斜視図である。
【図２】本発明の実施形態に係る携帯電話機を正面側から見た斜視図である。
【図３】第１の筐体を正面側から見た分解斜視図である。
【図４】第１の筐体を背面側から見た分解斜視図である。
【図５】図２のＶ−Ｖ線拡大断面図である。
【図６】フレキシブル基板、液晶基板及びその周辺を示す背面図である。
【図７】ガスケットが貼り付けられた液晶基板及びその周辺を拡大して示す斜視図である。
【図８】ガスケットを拡大して示し、（ａ）が斜視図であり、（ｂ）は（ａ）のVIIIb−VIIIb線断面図であり、（ｃ）がVIIIc部拡大底面図である。
【発明を実施するための形態】
【００１５】
以下、本発明の実施形態を図面に基づいて説明する。
【００１６】
図２は、本発明の実施形態に係る携帯端末としての携帯電話機を正面側から見た斜視図である。図３は、第１の筐体を正面側から見た分解斜視図であり、図４は、第１の筐体を背面側から見た分解斜視図である。この携帯電話機１は、表示部２を有する第１の筐体３と、操作ボタンなどの操作部（図示せず）を有する第２の筐体５とが、ヒンジ部６を中心に折畳み開閉自在に連結されている。詳しくは図示しないが、第２の筐体５には、バッテリ、携帯電話機１の全体を制御するメイン基板等が収容されている。
【００１７】
第１の筐体３は、表示部２を収容する正面側キャビネット３ａと、これを背面から覆う背面カバー３ｂとを有する。正面側キャビネット３ａの背面側に表示部２等を制御する液晶基板７が収容されている。この液晶基板７とメイン基板とは、ヒンジ部６内を通過するフレキシブル基板８で電気的に接続されている。このフレキシブル基板８は、例えば樹脂成形品よりなる液晶ホルダ９によって正面側キャビネット３ａに保持されている。なお、図４における液晶ホルダ９の下側には、サブディスプレイ１０が設けられ、ユーザは、背面カバー３ｂの透明アクリル板等よりなる窓部１１から、その表示を見ることができるようになっている。
【００１８】
図１は、本発明の実施形態に係るガスケット２０及びフレキシブル基板８を示す斜視図である。図５は、図２のＶ−Ｖ線拡大断面図であり、図６は、フレキシブル基板８、液晶基板７及びその周辺を示す背面図である。図１、図４〜図６に示すように、このフレキシブル基板８は、接点コネクタ１２により液晶基板７の接続部７ａに電気的に接続されている。これにより、メイン基板からフレキシブル基板８を介して表示部２、サブディスプレイ１０等への制御信号等が伝達されるようになっている。また、携帯電話機１において雑音防止等のためにフレキシブル基板８を接地（グランド）する必要がある。図１に示すように、フレキシブル基板８は、この接地等の目的のためにフレキ側第１及び第２接点１３，１４を有する。これら２つのフレキ側第１及び第２接点１３，１４間には、電気を通さないフレキ側絶縁緩衝帯１５が設けられている。なお、フレキシブル基板８は、第１の筐体３及び第２の筐体５にそれぞれ密閉状に挟み込むためのエラストマー製等の防水パッキン８ａ，８ｂを備えている。
【００１９】
図７は、ガスケット２０が貼り付けられた液晶基板７及びその周辺を拡大して示す斜視図である。フレキ側第１及び第２接点１３，１４に対応して、液晶基板７側には、基板側第１及び第２接点１７，１８が設けられている。基板側第１及び第２接点１７，１８の間には、電気を通さない基板側絶縁緩衝帯１９が形成されている。
【００２０】
図８にガスケット２０を拡大して示し、（ａ）が斜視図であり、（ｂ）は（ａ）のVIIIb−VIIIb線断面図であり、（ｃ）がVIIIc部拡大底面図である。このガスケット２０は、高機能ウレタンフォーム等よりなる、例えば０．８ｍｍの矩形板状のクッション材２１を有する。このクッション材２１の外周がそれぞれ間隔を空けて２枚の導通フィルム２２で覆われている。導通フィルム２２は、例えば、０．０３５ｍｍのＥＶＡ樹脂のラミネート材２２ａと、この表面を覆うアルミ箔などのメタルフィルム２２ｂとからなる。導通フィルム２２は、クッション材２１の左右端部を平面視でコ字状に覆っている。
【００２１】
そして、一対の導通フィルム２２間には、接着部材としての両面テープ２３が貼り付けられている。この両面テープ２３は、例えば０．０３ｍｍの非常に薄くて粘着力の高いものが用いられている。図８（ｂ）に示すように、この両面テープ２３の方が導通フィルム２２よりも厚さ方向で低くなっている。このため、両面テープ２３を基板側絶縁緩衝帯１９に貼り付けるときにクッション材２１を変形させながら押さえ付けた後、元に戻ろうとする力が掛かったままガスケット２０が液晶基板７に粘着されている。このことから、導通フィルム２２が基板側第１及び第２接点１７，１８に確実に導通するようになっている。
【００２２】
そして、フレキシブル基板８は、図３に示す液晶ホルダ９に設けたフレキ収容部９ａ内の定位置に保持され、フレキ側第１及び第２接点１３，１４にそれぞれ導通フィルム２２が押し付けられて導通している。なお、図１にその当接したときの位置関係を示している。
【００２３】
このように、本実施形態では、両面テープ２３を導通フィルム２２で覆われていない部分に設けているので、全体の厚さが抑えられる。
【００２４】
また、１つのガスケット２０で２つの接点を導通できるので、ガスケット２０の取付が容易であり、両面テープ２３の数も少なくなる。
【００２５】
さらに、液晶基板７に占める領域が、基板側第１及び第２接点１７，１８と、その間の基板側絶縁緩衝帯１９とに制限されるので、液晶基板７の大きさを小さくすることができる。
【００２６】
したがって、本実施形態によると、複数接点を持つガスケット２０を簡単に狭い領域で取り付けることができる。
【００２７】
（その他の実施形態）
本発明は、上記実施形態について、以下のような構成としてもよい。
【００２８】
すなわち、上記実施形態では、複数の接点は、２つの接点としているが、３つ以上でもよい。３つ以上の場合には、両側以外の導通フィルム２２は、幅方向に巻き付ければよく、それぞれの一対の導通フィルム２２間に両面テープ２３を貼り付ければよい。
【００２９】
上記実施形態では、組立、修理、リサイクル等の作業の関係で両面テープ２３は、液晶基板７側にのみ貼り付けられているが、フレキシブル基板８側にも貼り付けてもよい。逆にフレキシブル基板８のみに貼り付けてもよい。
【００３０】
上記実施形態では、接着部材は、両面テープ２３としているが、接着剤を印刷等により設けたものとしてもよい。
【００３１】
なお、以上の実施形態は、本質的に好ましい例示であって、本発明、その適用物や用途の範囲を制限することを意図するものではない。
【産業上の利用可能性】
【００３２】
以上説明したように、本発明は、基板に導通させるための複数接点を持つガスケット及び携帯電話機などの携帯端末について有用である。
【符号の説明】
【００３３】
１      携帯電話機（携帯端末）
２      表示部
３      第１の筐体
３ａ    正面側キャビネット
３ｂ    背面カバー
５      第２の筐体
６      ヒンジ部
７      液晶基板
７ａ    接続部
８      フレキシブル基板
８ａ，８ｂ    防水パッキン
９      液晶ホルダ
９ａ    フレキ収容部
１０      サブディスプレイ
１１      窓部
１２      接点コネクタ
１３，１４      フレキ側第１及び第２接点
１５      フレキ側絶縁緩衝帯
１７，１８      基板側第１及び第２接点
１９      基板側絶縁緩衝帯
２０      ガスケット
２１      クッション材
２２      導通フィルム
２２ａ    ラミネート材
２２ｂ    メタルフィルム
２３      両面テープ（接着部材）
【図１】
2014040864.tif 000003
【図２】
2014040864.tif 000004
【図３】
2014040864.tif 000005
【図４】
2014040864.tif 000006
【図５】
2014040864.tif 000007
【図６】
2014040864.tif 000008
【図７】
2014040864.tif 000009
【図８】
2014040864.tif 000010